(57)【要約】【課題】記録紙が搬送の位置ズレを起こして搬送された場合においても記録紙の所望の位置に印刷を行うことが可能な画像形成処理システムおよび画像形成装置を提供することを目的とする。【解決手段】本実施形態の画像形成処理システム１は、２つの識別マークが印刷された記録紙が記録紙搬送部１３によって搬送される際に、印刷面センサ１５により生成されたその記録紙の印刷面の画像データから抽出された文書データの登録番号、先方情報または後方情報、および識別マークの実位置がパソコン３に向けて送信され、ＣＰＵ３０によって、その識別マークの実位置とその登録番号の文書データに関連付けられた先方マーク位置または後方マーク位置とから、両者の位置ズレ分を補正するための位置ズレ補正データが生成された後、文字列データと位置ズレ補正データから文字列データの印刷位置情報が補正された文字列データの補正済み印刷データが生成される構成とされている。【選択図】図１
2007194873.tif 000002
【特許請求の範囲】
【請求項１】
印刷データに基づいて記録紙に画像の印刷を行う画像形成装置と、該画像形成装置に印刷データを送信する電子端末装置と、有して成り、それらが互いに信号の通信を行って印刷処理を行う画像形成処理システムにおいて、
前記画像形成装置は、前記記録紙の搬送経路上に備えられ、前記記録紙の印刷面を読み取って画像データを生成する印刷面センサと、
前記画像データから識別マークに記録された文書データの登録番号を抽出するとともに、該識別マークの実位置情報を取得する識別マーク解析手段と、
前記文書データの登録番号および前記識別マークの実位置情報を前記電子端末装置に向けて送信する送信手段と、を有し、
前記電子端末装置は、個別に登録番号が付されている文書データ、並びに、該文書データごとに関連付けられたその印刷位置を定めるための印刷位置情報および識別マークの基準位置情報を記憶する登録情報記憶部と、
文書データの登録番号および識別マークの実位置情報を受信した際に、受信した登録番号に対応する文書データを認識するとともに、その文書データに関連付けられた前記識別マークの基準位置情報と前記実位置情報から、両者の位置ズレ分を補正するための位置ズレ補正データを生成する補正データ生成手段と、
該位置ズレ補正データに基づいて補正された前記印刷位置情報と、前記文書データとから、その文書データの補正済み印刷データを生成する印刷データ生成手段と、
該補正済み印刷データを前記画像形成装置に向けて送信する印刷データ送信手段と、を
有して成ることを特徴とする画像形成処理システム。
【請求項２】
前記識別マーク解析手段において、前記画像データから、前記印刷センサにより最先に読み取られた識別マークから、その識別マーク側が文書データの後方側に対応することを意味する後方情報が抽出される場合には、
前記送信手段は、該後方情報を前記電子端末装置に向けて送信し、
前記補正データ生成手段は、前記後方情報を受信した際に、前記印刷位置情報を１８０度回転させる位置補正データを生成し、
前記印刷データ生成手段は、前記後方情報の認識により、１８０度回転させた前記文書データを生成するとともに、該位置補正データに基づいて補正された前記印刷位置情報と、その１８０度回転させた前記文書データとから、その文書データの補正済み印刷データを生成することを特徴とする請求項１に記載の画像形成処理システム。
【請求項３】
印刷データに基づいて記録紙に画像の印刷を行う画像形成装置において、
前記記録紙の搬送経路上に備えられ、前記記録紙の印刷面を読み取って画像データを生成する印刷面センサと、
前記画像データから識別マークに記録された文書データの登録番号を抽出するとともに、該識別マークの実位置情報を取得する識別マーク解析手段と、
個別に登録番号が付されている文書データ、並びに、該文書データごとに関連付けられたその印刷位置を定めるための印刷位置情報および識別マークの基準位置情報を記憶する登録情報記憶部と、
前記識別マーク解析手段により抽出された登録番号に対応する文書データを認識するとともに、その文書データに関連付けられた前記識別マークの基準位置情報と前記実位置情報から、両者の位置ズレ分を補正するための位置ズレ補正データを生成する補正データ生成手段と、
該位置ズレ補正データに基づいて補正された前記印刷位置情報と、前記文書データとから、その文書データの補正済み印刷データを生成する印刷データ生成手段と、を有して成ることを特徴とする画像形成装置。
【請求項４】
前記識別マーク解析手段において、前記画像データから、前記印刷センサにより最先に読み取られた識別マークから、その識別マーク側が文書データの後方側に対応することを意味する後方情報が抽出される場合には、
前記補正データ生成手段は、前記印刷位置情報を１８０度回転させる位置補正データを生成し、
前記印刷データ生成手段は、１８０度回転させた前記文書データを生成するとともに、該位置補正データに基づいて補正された前記印刷位置情報と、その１８０度回転させた前記文書データとから、その文書データの補正済み印刷データを生成することを特徴とする請求項３に記載の画像形成装置。
【発明の詳細な説明】
【技術分野】
【０００１】
本発明は、記録紙に画像の印刷処理を行う画像形成処理システムおよび画像形成装置に関し、特に、印刷位置を補正して記録紙の所望の位置に画像を印刷する機能を有するものに関する。
【背景技術】
【０００２】
従来より、イメージスキャナが取り込んだ帳票の画像データと帳票識別情報データベースが記憶する帳票を識別するための識別情報とが、帳票識別部によって一致するかどうか判定され、画像データと識別情報とが一致すると判定された場合には、プリンタが帳票の指定された位置に識別番号と通し番号を印字する帳票処理システムが開示・提案されている（例えば、特許文献１を参照）。
【特許文献１】特開２００４−１４５３８３号公報
【発明の開示】
【発明が解決しようとする課題】
【０００３】
確かに、特許文献１に開示された帳票処理システムであれば、プリンタにおいて帳票が搬送の位置ズレなく搬送された場合、帳票の指定された位置に識別番号や通し番号を印字することが可能である。
【０００４】
しかしながら、特許文献１に開示された帳票処理システムは、プリンタにおいて帳票が搬送の位置ズレを起こして搬送された場合、正規の印刷位置からずれた位置に印字がなされる可能性があった。
【０００５】
本発明は、上記の問題点に鑑み、記録紙が搬送の位置ズレを起こして搬送された場合においても記録紙の所望の位置に印刷を行うことが可能な画像形成処理システムおよび画像形成装置を提供することを目的とする。
【課題を解決するための手段】
【０００６】
上記目的を達成するために、本発明に係る画像形成処理システムは、印刷データに基づいて記録紙に画像の印刷を行う画像形成装置と、該画像形成装置に印刷データを送信する電子端末装置と、有して成り、それらが互いに信号の通信を行って印刷処理を行い、更に、前記画像形成装置が、前記記録紙の搬送経路上に備えられ、前記記録紙の印刷面を読み取って画像データを生成する印刷面センサと、前記画像データから識別マークに記録された文書データの登録番号を抽出するとともに、該識別マークの実位置情報を取得する識別マーク解析手段と、前記文書データの登録番号および前記識別マークの実位置情報を前記電子端末装置に向けて送信する送信手段と、を有し、前記電子端末装置が、個別に登録番号が付されている文書データ、並びに、該文書データごとに関連付けられたその印刷位置を定めるための印刷位置情報および識別マークの基準位置情報を記憶する登録情報記憶部と、文書データの登録番号および識別マークの実位置情報を受信した際に、受信した登録番号に対応する文書データを認識するとともに、その文書データに関連付けられた前記識別マークの基準位置情報と前記実位置情報から、両者の位置ズレ分を補正するための位置ズレ補正データを生成する補正データ生成手段と、該位置ズレ補正データに基づいて補正された前記印刷位置情報と、前記文書データとから、その文書データの補正済み印刷データを生成する印刷データ生成手段と、該補正済み印刷データを前記画像形成装置に向けて送信する印刷データ送信手段と、を有して成る構成とされている。
【０００７】
このような構成とすることにより、識別マークの実位置情報と識別マークの基準位置情報との位置ズレ分から、文書データの印刷位置情報がその搬送の位置ズレ分に対応して補正された文書データの補正済み印刷データが生成されるため、本来印刷されるべき記録紙上の位置に正確に文書データの画像を印刷することが可能となる。
【０００８】
また上記構成から成る画像形成処理システムは、前記識別マーク解析手段において、前記画像データから、前記印刷センサにより最先に読み取られた識別マークから、その識別マーク側が文書データの後方側に対応することを意味する後方情報が抽出される場合には、前記送信手段が、該後方情報を前記電子端末装置に向けて送信し、前記補正データ生成手段が、前記後方情報を受信した際に、前記印刷位置情報を１８０度回転させる位置補正データを生成し、前記印刷データ生成手段が、前記後方情報の認識により、１８０度回転させた前記文書データを生成するとともに、該位置補正データに基づいて補正された前記印刷位置情報と、その１８０度回転させた前記文書データとから、その文書データの補正済み印刷データを生成する構成とされている。
【０００９】
このような構成とすることにより、記録紙が、後端側から搬送の位置ズレがない状態で搬送される場合において、後方情報が認識されることで、文書データの印刷位置情報および文書データが１８０度回転された文書データの補正済み印刷データが生成されるため、本来印刷されるべき記録紙上の位置に正確に文書データの画像を印刷することが可能となる。更に、記録紙が、後端側から搬送の位置ズレがある状態で搬送される場合において、後方情報が認識されることおよび識別マークの実位置情報と基準位置情報との位置ズレ分が取得されることで、文書データの印刷位置情報および文書データが１８０度回転され、更に文書データの印刷位置情報がその搬送の位置ズレ分に対応して補正された文書データの補正済み印刷データが生成されるため、本来印刷されるべき記録紙上の位置に正確に文書データの画像を印刷することが可能となる。
【００１０】
本発明に係る画像形成装置は、印刷データに基づいて記録紙に画像の印刷を行う画像形成装置であり、前記記録紙の搬送経路上に備えられ、前記記録紙の印刷面を読み取って画像データを生成する印刷面センサと、前記画像データから識別マークに記録された文書データの登録番号を抽出するとともに、該識別マークの実位置情報を取得する識別マーク解析手段と、個別に登録番号が付されている文書データ、並びに、該文書データごとに関連付けられたその印刷位置を定めるための印刷位置情報および識別マークの基準位置情報を記憶する登録情報記憶部と、前記識別マーク解析手段により抽出された登録番号に対応する文書データを認識するとともに、その文書データに関連付けられた前記識別マークの基準位置情報と前記実位置情報から、両者の位置ズレ分を補正するための位置ズレ補正データを生成する補正データ生成手段と、該位置ズレ補正データに基づいて補正された前記印刷位置情報と、前記文書データとから、その文書データの補正済み印刷データを生成する印刷データ生成手段と、を有して成る構成とされている。
【００１１】
このような構成とすることにより、識別マークの実位置情報と識別マークの基準位置情報との位置ズレ分から、文書データの印刷位置情報がその搬送の位置ズレ分に対応して補正された文書データの補正済み印刷データが生成されるため、本来印刷されるべき記録紙上の位置に正確に文書データの画像を印刷することが可能となる。
【００１２】
また、上記構成から成る画像形成装置は、前記識別マーク解析手段において、前記画像データから、前記印刷センサにより最先に読み取られた識別マークから、その識別マーク側が文書データの後方側に対応することを意味する後方情報が抽出される場合には、前記補正データ生成手段が、前記印刷位置情報を１８０度回転させる位置補正データを生成し、前記印刷データ生成手段が、１８０度回転させた前記文書データを生成するとともに、該位置補正データに基づいて補正された前記印刷位置情報と、その１８０度回転させた前記文書データとから、その文書データの補正済み印刷データを生成する構成とされている。
【００１３】
このような構成とすることにより、記録紙が、後端側から搬送の位置ズレがない状態で搬送される場合において、後方情報が認識されることで、文書データの印刷位置情報および文書データが１８０度回転された文書データの補正済み印刷データが生成されるため、本来印刷されるべき記録紙上の位置に正確に文書データの画像を印刷することが可能となる。更に、記録紙が、後端側から搬送の位置ズレがある状態で搬送される場合において、後方情報が認識されることおよび識別マークの実位置情報と基準位置情報との位置ズレ分が取得されることで、文書データの印刷位置情報および文書データが１８０度回転され、更に文書データの印刷位置情報がその搬送の位置ズレ分に対応して補正された文書データの補正済み印刷データが生成されるため、本来印刷されるべき記録紙上の位置に正確に文書データの画像を印刷することが可能となる。
【発明の効果】
【００１４】
上記したように、本発明に係る画像形成処理システムおよび画像形成装置であれば、記録紙が搬送の位置ズレを起こして搬送された場合においても、本来印刷されるべき記録紙上の位置に正確に文書データの画像を印刷することが可能となる。
【発明を実施するための最良の形態】
【００１５】
以下、本発明の実施形態について図を参照して説明を行う。図１は本発明に係る画像形成システムの要部構成を示すブロック図であり、図２は本発明に係る画像形成装置の要部構造を模式的に示す縦断面図である。両図に示すように、本実施形態の画像形成システム１は、ネットワーク８０に接続され、印刷データに基づいて記録紙に画像の印刷を行う画像形成装置２と、ネットワーク８０に接続され、画像形成装置２に印刷データを送信する電子端末装置のパソコン３と、を有して成る。また、本実施形態の画像形成システム１は、画像形成装置２およびパソコン３が互いに信号の通信を行って印刷処理を行うことが可能である。
【００１６】
画像形成装置２は、画像形成装置全体の動作を制御する中央演算処理装置１０（以下、ＣＰＵ［Central Processing Unit］１０と呼ぶ）と、操作手段（テンキー、タッチパネルおよび追加印刷キーなど）と表示手段（液晶ディスプレイなど）から成る操作表示部１１と、画像データに基づいて記録紙へ画像を印刷する画像形成部１２と、記録紙を搬送する記録紙搬送部１３と、各種制御プログラム等が格納されたＲＯＭ［Read Only Memory］やワーク領域として用いられるＲＡＭ［Random Access Memory］から成る記憶部１４と、記録紙が記録紙搬送部１３によって画像形成部１２に向けて搬送されるときに記録紙の印刷面（すなわち、画像形成部１２により画像の印刷が行われる側の記録紙の面）を読み取って画像データを生成する印刷面センサ１５と、記録紙が記録紙搬送部１３によって画像形成部１２に向けて搬送されるときに記録紙の先端部分および後端部分を検知する用紙検知センサ１６と、パソコン３等の外部の装置との通信の接続を確立するためにネットワーク８０に接続されたインタフェース部１７と、を備えている。
【００１７】
ＣＰＵ１０は、装置全体の動作を制御するほか、画像データから識別マークに記録された文書データの登録番号を抽出するとともに、識別マークの実位置情報を取得する識別マーク解析手段と、文書データの登録番号および識別マークの実位置情報を電子端末装置（本実施形態では、パソコン３）に向けて送信する送信手段と、しての役割を担う。
【００１８】
画像形成部１２は、画像データに基づいてトナー像がドラム表面に形成される像端持体の感光体ドラム１２１と、感光体ドラム１２１の表面を所定の電位で均一に帯電させる帯電ローラ１２２と、画像データに基づいて感光体ドラム１２１にレーザ光を照射して感光体ドラム１２１の表面に静電潜像を形成する露光装置１２３と、感光体ドラム１２１の表面に形成された静電潜像にトナー１２４ａを付着させることで現像を行う現像装置１２４と、感光体ドラム１２１の表面に形成されたトナー像を記録紙に転写する転写ローラ１２５と、記録紙に転写されたトナー像を記録紙に定着させる定着装置１２６と、定着装置１２６で生じる熱を画像形成装置２の外部へ放熱することで画像形成装置２の内部を冷却する冷却ファン１２７と、を備えている。
【００１９】
画像形成部１２において、帯電ローラ１２２は、感光体ドラム１２１に近接する位置に設置されるとともに、放電によって感光体ドラム１２１の表面をマイナスに帯電させる。また、露光装置１２３は、感光体ドラム１２１へ向けてレーザスキャナ（不図示）からレーザ光を照射するものであり、感光体ドラム１２１の表面のうち、レーザ光が照射された部分をプラスに帯電させることでこの部分に静電潜像を形成する。
【００２０】
また、現像装置１２４は、図２に示すように、感光体ドラム１２１の近傍に設置されており、その内部にトナー１２４ａが収容されるとともに、トナー１２４ａを感光体ドラム１２１へ供給するための現像ローラ１２４ｂを備えている。そして、現像装置１２４は、感光体ドラム１２１の表面に形成された静電潜像にトナー１２４ａを付着させることでトナー像の現像を行う。
【００２１】
また、転写ローラ１２５は、感光体ドラム１２１との間のニップ部を記録紙が通過する際に、プラスに帯電することで感光体ドラム１２１に形成されたトナー像を記録紙に転写する。
【００２２】
また、定着装置１２６は、定着ローラ１２６ａと、定着ローラ１２６ａの内部に設置されるとともに定着ローラ１２６ａを加熱するための定着ヒータ１２６ｂと、加圧ローラ１２６ｃと、を備えている。定着ローラ１２６ａと加圧ローラ１２６ｃとの間に記録紙を挟むためのニップ部が形成されている。定着装置１２６は、このニップ部を記録紙が通過する際に、記録紙に転写されたトナー像を形成するトナー１２４ａを定着ローラ１２６ａの熱によって溶解させるとともに加圧ローラ１２６ｃによって記録紙に圧力を加えることでトナー像を記録紙に定着させる。
【００２３】
また、記録紙搬送部１３は、図２に示すように、記録紙が収容される複数の給紙カセット１３１と、これらの給紙カセット１３１から記録紙を送り出す給紙ローラ１３２と、記録紙が１枚ごとにセットされる手差トレイ１３３と、手差トレイ１３３から記録紙を送り出す手差給紙ローラ１３４と、各給紙ローラ１３２または手差ローラ１３４により送り出された記録紙を後述のレジストローラ１３７に向けて搬送する一対のローラから成る搬送ローラ１３５と、印刷面センサ１５を通過する記録紙を支持するガイド１３６と、搬送ローラ１３５および印刷面センサ１５を通過した記録紙の向きを矯正するともとに記録紙が感光体ドラム１２１に向けて搬送されるタイミングを調整する一対のローラから成るレジストローラ１３７と、感光体ドラム１２１および定着装置１２６を通過した記録紙を後述の第２排紙ローラ１４０に搬送または後述のフェイスアップトレイ１４１に排出するための第１排紙ローラ１３８と、第１排紙ローラ１３８を通過した記録紙を後述のフェイスダウントレイ１４２に排出するための第２排紙ローラ１４０と、記録紙の排出方向を切り換える排紙方向切換ガイド１３９と、画像形成装置２の側面に取り付けられるとともに印刷面を上向きにした状態で記録紙が排出されるフェイスアップトレイ１４１と、画像形成装置２の上部に設置されるとともに印刷面を下向きにした状態で記録紙が排出されるフェイスダウントレイ１４２と、を備えている。
【００２４】
また、排紙方向切換ガイド１３９は、記録紙をフェイスアップトレイ１４１へ排出させる場合には、ＣＰＵ１０の制御によって図２に実線で示す方向に切り換わり、記録紙をフェイスダウントレイ１４２へ排出させる場合には、ＣＰＵ１０の制御によって図２に破線で示す方向に切り換わる。
【００２５】
また、印刷面センサ１５は、図２に示すように、レジストローラ１３７の上流側であって、記録紙の搬送路１４３を境界として記録紙の印刷面と同じ側に設置されている。すなわち、印刷面センサ１５とガイド１３６は、記録紙の搬送路１４３を挟んで対向するように設置されている。
【００２６】
また、図３は、印刷面センサ１５による記録紙の印刷面の読み取りを説明するための模式的な図である。なお、図３に示す記録紙Ｐは、図３の紙面奥側から搬送された場合を示しており、記録紙Ｐの印刷面は、印刷面センサ１５側の記録紙の面である。図３に示すように、印刷面センサ１５は、ガイド１３６上に搬送される記録紙Ｐの印刷面に向けて光を照射するとともに、記録紙Ｐの印刷面および記録紙Ｐに覆われていないガイド１３６部分で反射した記録紙Ｐの搬送方向と垂直な方向の１ライン分の光を画素ごとに受光し、その受光した光の強度に応じた信号を画素ごとに順次生成することで、記録紙Ｐの印刷面を読み取って画像データを生成する。また、記録紙Ｐの搬送方向と垂直な方向の印刷面センサ１５の読み取り幅は、記録紙搬送部１３によって搬送可能な最大サイズの記録紙の幅よりも若干大きい。なお、図３に示す矢印付き破線は、記録紙Ｐの印刷面および記録紙Ｐに覆われていないガイド１３６部分で反射した光を示す。
【００２７】
また、パソコン３は、図１に示すように、パソコン全体の動作を制御する中央演算処理装置３０（以下、ＣＰＵ３０と呼ぶ）と、所定の画像が表示される液晶ディスプレイからなる表示部３１と、所定の情報を入力するためのキーボードやマウスからなる入力部３２と、各種制御プログラムやソフトウェア等が格納されたＲＯＭ［Read Only Memory］やワーク領域として用いられるＲＡＭ［Random Access Memory］から成る記憶部３３と、文書等のデータが記憶される不揮発性の記憶媒体のハードディスクを内蔵するハードディスクドライブから成る登録情報記憶部３４と、画像形成装置２等の外部の装置との通信の接続を確立するためにネットワーク８０に接続されたインタフェース部３５と、を備えている。
【００２８】
ＣＰＵ３０は、パソコン全体の動作を制御するほかに、文書データの登録番号および識別マークの実位置情報を受信した際に、受信した登録番号に対応する文書データを認識するとともに、その文書データに関連付けられた識別マークの基準位置情報（本実施形態では、先方マーク位置または後方マーク位置に相当）と実位置情報から、両者の位置ズレ分を補正するための位置ズレ補正データを生成する補正データ生成手段と、位置ズレ補正データに基づいて補正された印刷位置情報と、文書データ（本実施形態では、文字列データに相当）とから、その文書データ（本実施形態では、文字列データに相当）の補正済み印刷データを生成する印刷データ生成手段と、補正済み印刷データを画像形成装置に向けて送信する印刷データ送信手段と、しての役割を担っている。また、ＣＰＵ３０が役割を担う補正データ生成手段は、後方情報を受信した際に、印刷位置情報を１８０度回転させる位置補正データを生成する。また、印刷データ生成手段は、後方情報の認識により、１８０度回転させた文書データを生成するとともに、位置補正データに基づいて補正された前記印刷位置情報と、その１８０度回転させた文書データとから、その文書データの補正済み印刷データを生成する。
【００２９】
次に、上記構成から成る本実施形態の画像形成処理システム１の画像形成装置２における通常時の印刷動作について以下に説明を行う。本実施形態の画像形成装置２における印刷動作では、パソコン３からインタフェース部３５を介して送信されたプリンタ記述言語データからなる印刷データをインタフェース部１７が受信すると、ＣＰＵ１０によってその印刷データが一旦記憶部１４に格納された後に再び読み出され、印刷データに基づいて、その印刷位置へ画像を印刷するためのビットマップ形式の画像データが生成される。そして、ＣＰＵ１０によって、ビットマップ形式の画像データが画像形成部１２に送られる。
【００３０】
続いて、通常時の印刷動作であるため、ＣＰＵ１０の制御により、排紙方向切換ガイド１３９が図２に破線で示す方向に切り換わる。そして、図２に示すように、印刷データに含まれる記録紙のサイズ命令に対応するサイズの記録紙が収容された給紙カセット１３１から給紙ローラ１３２によって記録紙が送り出され、更に給紙カセット１３１から送り出された記録紙が搬送ローラ１３５へ向けて搬送される。そして、搬送ローラ１３５および印刷面センサ１５を通過した記録紙が、レジストローラ１３７によってその向きが矯正されるとともに感光体ドラム１２１への搬送タイミングが調整された後、感光体ドラム１２１と転写ローラ１２５との間のニップ部へ向けて搬送される。
【００３１】
このように記録紙が感光体ドラム１２１へ向けて搬送される間に、まず、帯電工程において帯電ローラ１２２の放電により感光体ドラム１２１の表面全体が均一に帯電される。そして、露光工程において、画像データに基づいて露光装置１２３によってレーザスキャナ（不図示）から感光体ドラム１２１へ向けてレーザ光が照射され、感光体ドラム１２１の表面のうちレーザ光が照射された部分に静電潜像が形成される。
【００３２】
続いて、現像工程において現像装置１２４が、帯電したトナー１２４ａを現像ローラ１２４ｂにより感光体ドラム１２１に供給することで、感光体ドラム１２１の表面に形成された静電潜像にトナー１２４ａを付着させてトナー像の現像を行う。続いて、転写工程において、転写ローラ１２５と感光体ドラム１２１との間のニップ部を通過する記録紙に転写ローラ１２５によって感光体ドラム１２１の表面に形成されたトナー像が転写される。そして、トナー像が転写された記録紙は、定着装置１２６における定着ローラ１２６ａと加圧ローラ１２６ｃとの間のニップ部へ向けて送り出される。
【００３３】
続いて、定着工程において定着装置１２６が、定着装置１２６のニップ部を通過する記録紙上のトナー像を形成するトナーを定着ローラ１２６ａの熱によって溶解されるとともに加圧ローラ１２６ｃによって記録紙に圧力を加えることで、トナー像を記録紙に定着させる。定着工程においてトナー像が定着した記録紙は、第１排紙ローラ１３８および第２排紙ローラ１４０よってフェイスダウントレイ１４２へ排出される。
【００３４】
なお、上記構成から成る画像処理システム１は、印刷面センサ１５によって識別マークが印刷された記録紙の印刷面が読み取られ、その識別マークに記録された情報、取得された識別マークの実位置（すなわち、識別マークの実際の位置、以下、識別マークの実位置と呼ぶ）、および識別マークの基準位置情報が利用されることで、記録紙の搬送の位置ズレが補正されて、本来印刷されるべき記録紙の位置に文書データ（本実施形態では、文字列データ）の画像の印刷が行われることに特徴を有している。そこで、以下では、画像処理システム１のこの特徴について詳細に説明を行う。
【００３５】
ここで、登録情報記憶部３４に予め記憶されている各種情報について以下に説明を行う。図４は、追加用記録紙が先方識別マーク側から画像形成部に向けて位置ズレなく搬送される際に、印刷面センサにより生成された画像データを模式的に示す図である。図５は、追加用記録紙が後方識別マーク側から画像形成部に向けて位置ズレなく搬送される際に、印刷面センサにより生成された画像データを模式的に示す図である。なお、先方識別マーク４１および後方識別マーク４２は、２次元コードであり、追加用記録紙は、少なくとも先方識別マーク４１および後方識別マーク４２が印刷された記録紙である。以下、少なくとも先方識別マーク４１および後方識別マーク４２が印刷された記録紙を追加用記録紙と呼ぶ。
【００３６】
また、図４および図５に示すように、印刷面センサ１５により追加用記録紙の印刷面が読み取られて生成された画像データ上において、印刷面センサ１５により追加用記録紙の印刷面が最先に読み取られて生成される画像データ側の左端角部（図４および図５の紙面を正面から見た場合）を原点（Ｘ，Ｙ）＝（０，０）、追加用記録紙の搬送方向と垂直な方向に対応する方向をＸ方向、追加用記録紙の搬送方向と平行な方向に対応する方向をＹ方向、とする。また、画像データの１画素分が、ＸおよびＹ座標のそれぞれにおける１目盛りに対応する。
【００３７】
登録情報記憶部３４には、図４に示すように、追加用記録紙が記録紙搬送部１３によって先方識別マーク４１側から画像形成部１２に向けて位置ズレなく搬送される場合において、印刷面センサ１５により追加用記録紙の印刷面が読み取られて生成された画像データ上における原点（０，０）に最も近い先方識別マーク４１の角部４１ａの位置である先方マーク位置（Ｘ１，Ｙ１）が、記録紙のサイズに応じて予め記憶されている。
【００３８】
また、登録情報記憶部３４には、図５に示すように、追加用記録紙が記録紙搬送部１３によって後方識別マーク４２側から画像形成部１２に向けて位置ズレなく搬送される場合において、印刷面センサ１５により追加用記録紙の印刷面が読み取られて生成された画像データ上における原点（０，０）に最も近い後方識別マーク４２の角部４２ａの位置である後方マーク位置（Ｘ２，Ｙ２）が、記録紙のサイズに応じて予め記憶されている。なお、先方マーク位置および後方マーク位置は、それぞれ追加用記録紙が先方識別マーク４１側および後方識別マーク４２側から搬送された際の識別マークの基準位置情報に相当する。
【００３９】
次に、パソコン３における識別マークを有した文書データの新規登録動作について以下に説明を行う。図６は、文書データの新規登録の際にパソコン３の表示部３１に表示される画像の一例を示す図である。なお、パソコン３の表示部３１に表示される文書も文書データと呼ぶ。
【００４０】
本実施形態のパソコン３では、ユーザによって入力部３２が操作されて文書登録用のソフトウェアが選択された際に、その操作信号が入力部３２からＣＰＵ３０に入力されると、ＣＰＵ３０によって、本実施形態を実現するための専用のソフトウェアが起動され、図６の紙面から見て、文書データ４０の先頭左側に先方識別マーク４１および文書データ４０の後方右側に後方識別マーク４２が予め記入された文書データ４０が表示部３１に表示される。この時点で、先方識別マーク４１および後方識別マーク４２は、後述する記入表４３の作成可能な領域を示すマークである。
【００４１】
続いて、記入表４３を作成するためにユーザによって入力部３２が操作され、その操作に応じた操作信号が入力部３２からＣＰＵ３０に入力されると、ＣＰＵ３０によって、図６に示すように、文書データ４０の中心側にある先方識別マーク４１の角部４１ｂと文書データ４０の中心側にある後方識別マーク４２の角部４２ｂを頂点とした破線の矩形に囲まれる領域内に、複数の記入欄４３ａを有した記入表４３が作成される。更に、入力部３２が操作されて、各記入欄４３ａへ追加記入される文字列データの追加記入の開始位置、各記入欄４３ａへの文字列データの記入順番、および記入欄４３ａに追加記入される文字列データのフォントや大きさ等の設定が行われ、ＣＰＵ３０によって、それらの設定内容が文書設定情報として一旦記憶部３３に記憶される。
【００４２】
続いて、表示部３１に表示された記録紙のサイズ選択欄（不図示）から文書４０を記録紙に印刷する際の記録紙のサイズが入力部３２を用いて選択され、その操作に応じた操作信号が入力部３２からＣＰＵ３０に入力されると、その選択された記録紙のサイズがＣＰＵ３０によって一旦、記憶部３３に記憶される。そして、表示部３１に表示される登録ボタン（不図示）が入力部３２を用いて選択され、その操作に応じた操作信号が入力部３２からＣＰＵ３０に入力されると、ＣＰＵ３０によって登録情報記憶部３４に登録されていない新規の登録番号が文書データ４０に割り当てられ後、その登録番号が表示部３１に表示される。
【００４３】
更に、ＣＰＵ３０によって、先方識別マーク４１が、文書データ４０の登録番号、および先方識別マーク４１側が文書データ４０の先頭側に対応することを意味する先方情報を含む２次元コードの先方識別マーク４１に更新される。また、ＣＰＵ３０によって、後方識別マーク４２が、文書データ４０の登録番号、および後方識別マーク４２側が文書データ４０の後端側に対応することを意味する後方情報を含む２次元コードの後方識別マーク４２に更新される。なお、先方情報および後方情報は、後述するように、先方識別マーク４１および後方識別マーク４２が記録紙に印刷されることで、記録紙の搬送方向を知るための情報となる。
【００４４】
また、ＣＰＵ３０によって、先方識別マーク４１および後方識別マーク４２が２次元コードに更新された文書データ４０が、登録情報記憶部３４に記憶されるとともに、登録情報記憶部３４に記憶された文書データ４０に、文書データ４０の登録番号、文書設定情報および前述で設定された記録紙のサイズが関連付けられて登録情報記憶部３４に記憶される。更に、ＣＰＵ３０によって、登録情報記憶部３４から前述で設定された記録紙のサイズに対応する前述の先方マーク位置および後方マーク位置が読み込まれた後、登録情報記憶部３４に記憶された文書データ４０に関連付けられて登録情報記憶部３４に記憶される。また、ＣＰＵ４０によって、先方識別マーク４１、後方識別マーク４２および記入表４３が未印刷であることが記録された未印刷情報が生成された後、登録情報記憶部３４に記憶された文書データ４０に関連付けられてその未印刷情報が記録される。なお、未印刷情報とは、文書データうち、どのデータ部分が未印刷であるかを記録する情報である。
【００４５】
なお、ユーザは、文書データ４０の登録番号が後述する文書データ４０の更新時に必要になるため、表示部３１に表示された文書データ４０の登録番号を記録するとよい。また、文書データ４０の登録番号が画像形成装置２やネットワーク８０に接続された外部の画像形成装置（不図示）によって出力されるようにされてもよい。
【００４６】
続いて、ユーザによって入力部３２が用いられて表示部３１に表示された印刷ボタン（不図示）が選択され、それに伴う操作信号が入力部３２からＣＰＵ３０に入力されると、ＣＰＵ３０によって、記入表４３、先方識別マーク４１および後方識別マーク４２を含む文書データ４０を印刷するための印刷データが生成される。なお、その印刷データは、文書データ４０、記録紙のサイズ情報、文書データ４０の印刷位置および印刷命令等がポストスクリプトデータ等のページ記述言語データに変換されたものである。
【００４７】
そして、ＣＰＵ３０によって、その印刷データがインタフェース部３５から画像形成装置２に向けて送信される。そして、ＣＰＵ３０によって、先方識別マーク４１、後方識別マーク４２および記入表４３が未印刷であることが記録された文書データ４０の未印刷情報が、先方識別マーク４１、後方識別マーク４２および記入表４３が印刷済みであることを示す印刷済情報に変更される。そして、ＣＰＵ３０によって、その印刷済情報が登録情報記憶部３４に先に記憶された文書データ４０に関連付けられて登録情報記憶部３４に記憶される。なお、印刷済情報とは、文書データのうち、どのデータ部分までが印刷済みであるかを記録する情報である。
【００４８】
一方、文書データ４０の印刷データをインタフェース部１７で受信した画像形成装置２では、前述した通常時の印刷動作と同様に、印刷データに基づいて、先方識別マーク４１、後方識別マーク４２、および記入表４３が、指定されたサイズの記録紙上の印刷位置に印刷される。そして、先方識別マーク４１、後方識別マーク４２、および記入表４３が印刷された記録紙である追加用記録紙がフェイスダウントレイ１４２に排出される。
【００４９】
上記で説明したように、適時、ユーザによってパソコン３が用いられることで、パソコン３により登録情報記憶部３４に複数の文書データの登録が行われる。
【００５０】
次に、登録情報記憶部３４に記憶された文書データの更新について以下に説明を行う。なお、登録情報記憶部３４に記憶された文書データ４０を例に挙げて説明を行う。例えば、ネットワーク８０に接続されたレジスター（不図示）の入力部（不図示）がユーザによって用いられて、文書データ４０の登録番号および残り回数等の文字列データが入力された後に、パソコン３へ文書データ４０の登録番号および文字列データを送信するための入力が行われる。そして、それらの入力に伴ってレジスターの入力部からレジスターの制御部（不図示）に入力信号が送られると、レジスターの制御部によって、レジスターのインタフェース部（不図示）からパソコン３に向けて、文書データ４０の登録番号、文字列データおよびその登録番号に対応する文書データ４０にその文字列データを追加させるための更新命令が送信される。なお、文字列データとは、文字データおよび記号データ等が、一つ以上からなるものである。
【００５１】
一方、パソコン３では、登録情報記憶部３４に記憶された文書データ４０の登録番号、文字列データおよび更新命令をインタフェース部３５が受信すると、その更新命令に従ってＣＰＵ３０によって、登録情報記憶部３４に記憶された複数の文書データから受信した登録番号に対応する文書データ４０が抽出される。そして、ＣＰＵ３０によって、文書データ４０に関連付けられた文書設定情報が抽出された後に、その文書設定情報に従って文書データ４０の記入欄４３ａに文字列データが追加された文書データ４０が、登録情報記憶部３４に更新されて記憶される。更に、ＣＰＵ３０によって、文書データ４０の記入欄４３ａに追加された文字列データが未印刷であることが記録された未印刷情報、およびその追加された文字列データの印刷開始位置である印刷位置情報が、登録情報記憶部３４に記憶されている文書４０に関連付けられて登録情報記憶部３４に記憶される。なお、パソコン３のみによって文字列データが同様に文書データ４０の記入欄４３ａに追加されて更新されてもよい。
【００５２】
また、上記で説明したように、適時、ユーザによってパソコン３やレジスター（不図示）等が用いられることで、パソコン３やレジスター（不図示）等により登録情報記憶部３４に記憶された複数の文書データの更新が行われる。
【００５３】
次に、本実施形態の画像形成処理システム１における登録情報記憶部３４に記憶されている文書データに追加された文字列データの追加用記録紙への印刷動作について図を参照して以下に説明を行う。図７は、追加用記録紙に文字列データの印刷を行う際の画像形成装置２の動作を説明するためのフローチャートである。図８は、追加用記録紙に文字列データの印刷を行う際のパソコン３の動作を説明するためのフローチャートである。なお、先に本実施形態の画像形成装置２の動作について説明を行った後に、続いて、本実施形態のパソコン３の動作について説明を行う。
【００５４】
本実施形態の画像形成処理システム１における画像形成装置２では、ステップＳ７−１で、ユーザによって手差トレイ１３３に先方識別マーク４１、後方識別マーク４２、および記入表４３が印刷された追加用記録紙がセットされ、操作表示部１１が操作されて手差トレイ１３３からの給紙が選択されると、操作表示部１１からＣＰＵ１０に手差トレイ１３３からの給紙を行う旨の操作信号が入力される。続いて、操作表示部１１の追加印刷キー（不図示）が押下されると、操作表示部１１によって追加用記録紙に追加印刷を行うための追加印刷モードでの印刷の開始が受け付けられる。そして、操作表示部１１からＣＰＵ１０に追加印刷モードで印刷を開始させる信号が入力されると、ＣＰＵ１０の制御により、手差トレイ１３３上の追加用記録紙が手差給紙ローラ１３４によって搬送ローラ１３５へ向けて送り出される。そして、搬送ローラ１３５に到達した追加用記録紙が、搬送ローラ１３５によってレジストローラ１３７に向けて搬送される。なお、追加用記録紙が、給紙カセット１３１にセットされて、給紙カセット１３１から搬送されてもよい。
【００５５】
そして、レジストローラ１３７に向けて搬送される追加用記録紙の先端部分が用紙検知センサ１６によって検知されると、用紙検知センサ１６からＣＰＵ１０へ検知信号が送信される。この検知信号に基づいてＣＰＵ１０によって、追加用記録紙の先端部分が用紙検知センサ１６の設置位置に到達したことが認識されると、印刷面センサ１５に追加用記録紙の印刷面の読み取りを開始させる制御信号がＣＰＵ１０から印刷面センサ１５へ送信される。そして、この制御信号が印刷面センサ１５に受信されると、印刷面センサ１５によって追加用記録紙の印刷面の読み取りが開始される。そして、搬送ローラ１３５によってレジストローラ１３７に向けて搬送されながら、印刷面センサ１５によって読み取られて生成された追加用記録紙の印刷面の画像データが、印刷面センサ１５からＣＰＵ１０に向けて送信される。
【００５６】
続いて、レジストローラ１３７へ向けて搬送される追加用記録紙の後端部分が用紙検知センサ１６によって検知されると、用紙検知センサ１６からＣＰＵ１０へ検知信号が送信される。この検知信号に基づいてＣＰＵ１０によって、追加用記録紙の後端部分が用紙検知センサ１６の設置位置を通過したことが認識され、更にその認識後に追加用記録紙の後端部分が印刷面センサ１５を通過するのに必要となる予め設定された時間を経過したことが認識されると、印刷面センサ１５に追加用記録紙の印刷面の読み取りを終了させる制御信号がＣＰＵ１０から印刷面センサ１５へ送信される。そして、この制御信号が印刷面センサ１５に受信されると、印刷面センサ１５による追加用記録紙の印刷面の読み取りが停止される。そして、印刷面センサ１５からＣＰＵ１０に送信された追加用記録紙の印刷面の画像データが、ＣＰＵ１０によって一旦記憶部１４に保存される。このとき、追加用記録紙は、その先端部分がレジストローラ１３７に当接した状態で停止している。
【００５７】
続いて、ステップＳ７−２で、ＣＰＵ１０によって、記憶部１４から追加用記録紙の印刷面の画像データが読み込まれ、先方情報と文書データの登録番号が記録された識別マーク（すなわち、先方識別マーク４１）、および後方情報と文書データの登録番号が記録された識別マーク（すなわち、後方識別マーク４２）が画像データに含まれているか否かが判定されることで、その画像データに２次元コードの先方識別マーク４１および後方識別マーク４２が含まれているか否かの判定が行われる。
【００５８】
ＣＰＵ１０によって、先方情報と文書データの登録番号が記録された識別マーク（すなわち、先方識別マーク４１）、および後方情報と文書データの登録番号が記録された識別マーク（すなわち、後方識別マーク４２）が画像データに含まれていないと判定される場合には（Ｓ７−２ＮＯ）、先方識別マーク４１および後方識別マーク４２が印刷された追加用記録紙以外の記録紙が手差給紙トレイ１３３にセットされたこと、あるいは先方識別マーク４１および後方識別マーク４２が印刷された追加用記録紙の面が手差給紙トレイ１３３側になるようにセットされたことになる。続いて、ステップＳ７−３で、ＣＰＵ１０の制御によって、排紙方向切換ガイド１３９が図２に実線で示す方向に切り換えられる。そして、追加用記録紙がレジストローラ１３７によって第１排紙ローラ１３８に向けて搬送が開始され、画像形成部１２で追加用記録紙に印刷が行われることなく、画像形成部１２を通過した追加用記録紙が第１排紙ローラ１３８によってフェイスアップトレイ１４１に排紙される。なお、このとき、追加用記録紙がフェイスダウントレイ１４２に排紙される構成でもよい。
【００５９】
続いて、ステップＳ７−４で、ＣＰＵ１０の制御によって、操作表示部１１に追加の印刷を行うための記録紙（すなわち、追加用記録紙）でない旨が表示される。
【００６０】
また、ステップＳ７−２で、ＣＰＵ１０によって、先方情報と文書データの登録番号が記録された識別マーク（すなわち、先方識別マーク４１）、および後方情報と文書データの登録番号が記録された識別マーク（すなわち、後方識別マーク４２）が画像データに含まれていると判定される場合には（Ｓ７−２ＹＥＳ）、ステップＳ７―５で、ＣＰＵ１０によって、その登録番号が抽出されて一旦記憶部１４に記憶される。そして、ＣＰＵ１０によって、先方識別マーク４１および後方識別マーク４２のうち、印刷面センサ１５によって最先に読み取れた識別マークに記録されている先方情報あるいは後方情報がその画像データから抽出された後に一旦、記憶部１４に記憶される。
【００６１】
続いて、ステップＳ７−６で、図９に示すように、印刷面センサ１５によって読み取られて生成された追加用記録紙の印刷面の画像データ上において、ＣＰＵ１０によって、原点（Ｘ，Ｙ）＝（０，０）に対して、先方識別マーク４１および後方識別マーク４２のうち、印刷面センサ１５により最先に読み取られた識別マーク４４の原点（０，０）に最も近い角部４４ａの位置（Ｘ３，Ｙ３）が取得された後、その位置（Ｘ３，Ｙ３）が印刷面センサ１５により最先に読み取られた識別マーク４４の実位置（Ｘ３，Ｙ３）として一旦記憶部１４に記憶される。なお、識別マーク４４の実位置は、識別マークの実際の位置であり、識別マークの実位置情報に相当する。
【００６２】
続いて、ステップＳ７−７で、ＣＰＵ１０によって、文書データの登録番号、先方情報または後方情報、および識別マーク４４の実位置がインタフェース部１７を介してパソコン３に向けて送信される。
【００６３】
続いて、ステップＳ７−８で、インタフェース部１７が記録紙の排出命令、または登録情報記憶部３４に記憶されている文書データに追加された文字列データの印刷データを受信し、インタフェース部１７から排出命令またはその印刷データがＣＰＵ１０に入力される場合には（Ｓ７−８ＹＥＳ）、ステップＳ７−９で、ステップＳ７−８においてインタフェース部１７から入力された排出命令または印刷データに応じてＣＰＵ１０によって、以下のように追加用記録紙の排出処理または追加用記録紙への印刷処理の制御が行われる。なお、ステップＳ７−８で、インタフェース部１７から排出命令や印刷データがＣＰＵ１０に入力されない場合には（Ｓ７−８ＮＯ）、ステップＳ７−８に戻る。
【００６４】
ステップＳ７−８において、インタフェース部１７が記録紙の排出命令を受信し、インタフェース部１７から排出命令がＣＰＵ１０に入力された場合には（Ｓ７−８ＹＥＳ）、追加用記録紙に印刷を行う必要がないため、ステップＳ７−９で、ＣＰＵ１０の制御によって、排紙方向切換ガイド１３９が図２に実線で示す方向に切り換えられる。そして、追加用記録紙がレジストローラ１３７によって第１排紙ローラ１３８に向けて搬送が開始され、画像形成部１２で追加用記録紙に印刷が行われることなく、画像形成部１２を通過した追加用記録紙が第１排紙ローラ１３８によってフェイスアップトレイ１４１に排紙される。そして、ＣＰＵ１０の制御によって、操作表示部１１に記録紙（すなわち、追加用記録紙）に印刷を行う必要がない旨が表示される。なお、このとき、追加用記録紙がフェイスダウントレイ１４２に排紙される構成でもよい。
【００６５】
また、ステップＳ７−８において、インタフェース部１７が印刷データを受信し、インタフェース部１７から印刷データがＣＰＵ１０に入力された場合には（Ｓ７−８ＹＥＳ）、ステップＳ７−９で、ＣＰＵ１０によって、印刷データに基づいて、文字列データの
印刷位置情報またはその補正された印刷位置情報に基づく位置に文字列データの画像が印刷されるように、そのビットマップ形式の画像データが生成される。そして、ＣＰＵ１０によって、生成されたビットマップ形式の画像データが画像形成部１２に送られる。そして、前述と同様に、画像形成部１２によって、その画像データに基づいて追加用記録紙に追加の印刷が行われ、その印刷済みの追加用記録紙がフェイスダウントレイ１４２に排出される。そして、図１０に示すように、フェイスダウントレイ１４２に排出された印刷済みの追加用記録紙には、記入表４３の記入欄４３ａに位置ズレなく文字列データの画像４５が追加して印刷されている。
【００６６】
次に、本実施形態の画像形成システム１において、追加用記録紙に文字列データの印刷を行う際のパソコン３の動作について説明を行う。本実施形態のパソコン３では、ステップＳ８−１で、インタフェース部３５が、前述のステップＳ７−７において画像形成装置２から送信された文書データの登録番号、先方情報または後方情報、および識別マーク４４の実位置を受信すると、インタフェース部３５から受信した文書データの登録番号、先方情報または後方情報、および識別マーク４４の実位置がＣＰＵ３０に送られる。
【００６７】
続いて、ステップＳ８−２で、ＣＰＵ３０によって、受信した登録番号と同じ登録番号が登録情報記憶部３４に記憶されているか否か検索される。ＣＰＵ３０によって、登録情報記憶部３４に受信した登録番号と同じ登録番号が記憶されていないと判定される場合には（Ｓ８−２ＮＯ）、受信した登録番号に対応する文書データが登録情報記憶部３４に記憶されていないことになる。続いて、ステップＳ８−３で、ＣＰＵ３０によって、画像形成装置２に印刷をさせることなく追加用記録紙を排出させる記録紙の排出命令がインタフェース部３５を介して画像形成装置２に向けて送信される。
【００６８】
また、ステップＳ８−２で、ＣＰＵ３０によって、登録情報記憶部３４に受信した登録番号と同じ登録番号が記憶されていると判定される場合には（Ｓ８−２ＹＥＳ）、受信した登録番号に対応する文書データが登録情報記憶部３４に記憶されていることになる。更に、ステップＳ８−４で、ＣＰＵ３０によって、文書データの未印刷情報が、受信した登録番号に対応する文書データに関連付けられて登録情報記憶部３４に記憶されているか否かが検索される。そして、ＣＰＵ３０によって、文書データの未印刷情報が、受信した登録番号に対応する文書データに関連付けられて登録情報記憶部３４に記憶されていないと判定される場合には（Ｓ８−４ＮＯ）、ステップＳ８−３で、ＣＰＵ３０によって、画像形成装置２に印刷をさせることなく追加用記録紙を排出させる記録紙の排出命令がインタフェース部３５を介して画像形成装置２に向けて送信される。
【００６９】
また、ステップＳ８−４で、ＣＰＵ３０によって、文書データの未印刷情報が、受信した登録番号に対応する文書データに関連付けられて登録情報記憶部３４に記憶されていると判定される場合には（Ｓ８−４ＹＥＳ）、更に、ステップＳ８−５で、ＣＰＵ３０によって、先方情報および後方情報のどちらを受信しているか判定される。そして、ＣＰＵ３０によって、先方情報を受信していると判定される場合には（Ｓ８−５ＹＥＳ）、画像形成装置２において追加用記録紙が先方識別マーク４１側から搬送されていることになる。続いて、ステップＳ８−６で、ＣＰＵ３０によって、識別マーク４４の実位置が、受信した登録番号に対応する文書データに関連付けられて登録情報記憶部３４に記憶されている先方マーク位置と比較される。
【００７０】
そして、ＣＰＵ３０によって、識別マーク４４の実位置と先方マーク位置が等しいと判定される場合には（Ｓ８−６ＹＥＳ）、ステップＳ７−１において画像形成装置２での追加用記録紙の搬送の位置ズレはないことになるため、ステップＳ８−７で、ＣＰＵ３０によって、受信した登録番号に対応する文書データ、並びに、その文書データに関連付けられている未印刷情報および未印刷情報に対応する文字列データの印刷位置情報が、登録情報記憶部３４から読み込まれる。そして、ＣＰＵ３０によって、受信した登録番号に対応する文書データ、並びに、その文書データに関連付けられている未印刷情報から、その文書データのうち、未印刷情報に対応する文字列データが抽出される。そして、ＣＰＵ３０によって、その文書データのうち、未印刷情報に対応する文字列データと、その印刷位置情報とから、文字列データの印刷データが生成される。なお、その印刷データは、文字列データ、その文字列データの印刷位置情報および印刷命令等がポストスクリプトデータ等のページ記述言語データに変換されたものである。そして、ＣＰＵ３０によって、その生成された文字列データの印刷データがインタフェース部３５を介して画像形成装置２に向けて送信される。
【００７１】
続いて、ステップＳ８−８で、ＣＰＵ３０によって、受信した登録番号に対応する文書データの未印刷情報が、印刷済情報に変更されて登録情報記憶部３４に記憶される。すなわち、受信した登録番号の文書データのうち、未印刷情報に対応する文字列データが印刷済みに変更されたことになる。
【００７２】
また、ステップＳ８−６で、ＣＰＵ３０によって、識別マーク４４の実位置と先方マーク位置が等しくない場合には（Ｓ８−６ＮＯ）、ステップＳ７−１において画像形成装置２で追加用記録紙の搬送の位置ズレがあることになり、ステップＳ８−９で、ＣＰＵ３０によって、先方マーク位置（Ｘ１，Ｙ１）および識別マーク４４の実位置（Ｘ３，Ｙ３）から、先方マーク位置（Ｘ１，Ｙ１）に対する識別マーク４４の実位置（Ｘ３，Ｙ３）の位置ズレ分を補正するための位置ズレ補正データが生成される。すなわち、位置ズレ補正データは、追加用記録紙の搬送の位置ズレに伴う印刷の位置ズレを補正するためのものである。
【００７３】
続いて、ステップＳ８−１０で、ＣＰＵ３０によって、受信した登録番号に対応する文書データ、並びに、その文書データに関連付けられている未印刷情報および未印刷情報に対応する文字列データの印刷位置情報が、登録情報記憶部３４から読み込まれる。そして、ＣＰＵ３０によって、位置ズレ補正データに基づいて補正された文字列データの印刷位置情報が生成される。
【００７４】
そして、ＣＰＵ３０によって、位置ズレ補正データに基づいて補正された文字列データの印刷位置情報と、受信した登録番号に対応する文書データのうち、未印刷情報に対応する文字列データと、から、未印刷情報に対応する文字列データの印刷位置情報が補正された文字列データの補正済み印刷データが生成される。なお、その印刷データは、文字列データ、その文字列データの補正された印刷位置情報および印刷命令等がポストスクリプトデータ等のページ記述言語データに変換されたものである。
【００７５】
続いて、ステップＳ８−１１で、文書データの未印刷情報に対応する文字列データの印刷位置情報が補正された文字列データの補正済み印刷データが、ＣＰＵ３０によって、インタフェース部３５を介して画像形成装置２に向けて送信される。
【００７６】
続いて、ステップＳ８−１２で、受信した登録番号に対応する文書データの未印刷情報が、印刷済情報に変更されて登録情報記憶部３４に記憶される。すなわち、受信した登録番号の文書データのうち、未印刷情報に対応する文字列データが印刷済みに変更されたことになる。
【００７７】
また、前述のステップＳ８−５で、ＣＰＵ３０によって、後方情報を受信している（すなわち、先方情報を受信していない）と判定される場合には（Ｓ８−５ＮＯ）、画像形成装置２において追加用記録紙が後方識別マーク４２側から搬送されていることになり、更に、ステップＳ８−１３で、ＣＰＵ３０によって、識別マーク４４の実位置が、受信した登録番号に対応する文書データに関連付けられて登録情報記憶部３４に記憶されている後方マーク位置と比較される。
【００７８】
そして、ＣＰＵ３０によって、識別マーク４４の実位置と後方マーク位置が等しいと判定される場合には（Ｓ８−１３ＹＥＳ）、画像形成装置２において追加用記録紙が後方識別マーク４２側から搬送の位置ズレなく搬送されていることになる。更に、ステップＳ８−５において後方情報の受信がＣＰＵ３０により認識されているため、ステップＳ８−１４で、ＣＰＵ３０によって、受信した登録番号の文書データの未印刷情報に対応する文字列データの印刷位置情報を１８０度回転させる位置補正データが生成される。すなわち位置補正データは、画像形成装置２において追加用記録紙の後方識別マーク４２側からの搬送に伴う印刷の位置ズレを補正するためのものである。
【００７９】
続いて、ステップＳ８−１５で、ＣＰＵ３０によって、受信した登録番号に対応する文書データ、並びに、その文書データに関連付けられている未印刷情報および未印刷情報に対応する文字列の印刷位置情報が、登録情報記憶部３４から読み込まれる。そして、ＣＰＵ３０によって、後方情報が認識されているため、位置補正データに基づいて補正されたその文字列の印刷位置情報が生成されるとともに、１８０度回転された未印刷情報に対応する文字列データが生成される。
【００８０】
そして、ＣＰＵ３０によって、位置補正データに基づいて補正されたその文字列データの印刷位置情報と、１８０度回転された未印刷情報に対応する文字列と、から、未印刷情報に対応する文字列の印刷位置情報が補正された文字列データの補正済み印刷データが生成される。なお、その印刷データは、文字列データ、その文字列データの補正された印刷位置情報および印刷命令等がポストスクリプトデータ等のページ記述言語データに変換されたものである。
【００８１】
続いて、ステップＳ８−１６で、その文字列データの補正済み印刷データが、ＣＰＵ３０によって、インタフェース部３５を介して画像形成装置２に向けて送信される。
【００８２】
続いて、ステップＳ８−１７で、受信した登録番号に対応する文書データの未印刷情報が、印刷済情報に変更されて登録情報記憶部３４に記憶される。すなわち、受信した登録番号の文書データのうち、未印刷情報に対応する文字列データが印刷済みに変更されたことになる。
【００８３】
また、前述のステップＳ８−１３で、ＣＰＵ３０によって、識別マーク４４の実位置と後方マーク位置が等しくないと判定される場合には（Ｓ８−１３ＮＯ）、画像形成装置２において追加用記録紙が後方識別マーク４２側から搬送の位置ズレがある状態で搬送されていることになる。更に、ステップＳ８−５において後方情報の受信がＣＰＵ３０により認識されているため、ステップＳ８−１８で、ＣＰＵ３０によって、後方マーク位置（Ｘ２，Ｙ２）および識別マーク４４の実位置（Ｘ３，Ｙ３）から後方マーク位置（Ｘ２，Ｙ２）に対する識別マーク４４の実位置（Ｘ３，Ｙ３）の位置ズレ分を補正するための位置ズレ補正データが生成される。更に、ＣＰＵ３０によって、受信した登録番号の文書データの未印刷情報に対応する文字列データの印刷位置情報を１８０度回転させる位置補正データが生成される。
【００８４】
続いて、ステップＳ８−１９で、ＣＰＵ３０によって、受信した登録番号に対応する文書データ、並びに、その文書データに関連付けられている未印刷情報および未印刷情報に対応する文字列の印刷位置情報が、登録情報記憶部３４から読み込まれる。そして、ＣＰＵ３０によって、後方情報が認識されているため、位置ズレ補正データと位置補正データに基づいて補正されたその文字列データの印刷位置情報が生成されるとともに、１８０度回転された未印刷情報に対応する文字列データが生成される。
【００８５】
そして、ＣＰＵ３０によって、位置ズレ補正データと位置補正データに基づいて補正されたその文字列データの印刷位置情報と、１８０度回転された未印刷情報に対応する文字列データと、から、未印刷情報に対応する文字列データの印刷位置情報が補正された文字列データの補正済み印刷データが生成される。なお、その印刷データは、文字列データ、その文字列データの補正された印刷位置情報および印刷命令等がポストスクリプトデータ等のページ記述言語データに変換されたものである。
【００８６】
続いて、ステップＳ８−２０で、その文字列データの補正済み印刷データが、ＣＰＵ３０によって、インタフェース部３５を介して画像形成装置２に向けて送信される。
【００８７】
続いて、ステップＳ８−２１で、受信した登録番号に対応する文書データの未印刷情報が、印刷済情報に変更されて登録情報記憶部３４に記憶される。すなわち、受信した登録番号の文書データのうち、未印刷情報に対応する文字列データが印刷済みに変更されたことになる。
【００８８】
以上で説明したように、本実施形態の画像形成処理システム１であれば、先方識別マーク４１および後方識別マーク４２が印刷された記録紙が、先方識別マーク４１側から搬送の位置ズレがある状態で搬送される場合において、先方識別マークの実位置と先方マーク位置との位置ズレ分から、文字列データの印刷位置情報がその搬送の位置ズレ分に対応して補正された文字列データの補正済み印刷データが生成されるため、本来印刷されるべき記録紙上の位置に正確に文字列データの画像を印刷することが可能となる。なお、この場合、一つの識別マークが記録紙に印刷されている場合においても、同様な効果を得ることが可能となる。
【００８９】
更に、本実施形態の画像形成処理システム１であれば、先方識別マーク４１および後方識別マーク４２が印刷された記録紙が、後方識別マーク４２側から搬送の位置ズレがない状態で搬送される場合において、後方識別マーク４２に記録された後方情報がＣＰＵ３０によって認識されることで、文字列データの印刷位置情報および文字列データが１８０度回転された文字列データの補正済み印刷データが生成されるため、本来印刷されるべき記録紙上の位置に正確に文字列データの画像を印刷することが可能となる。
【００９０】
また、本実施形態の画像形成処理システム１であれば、先方識別マーク４１および後方識別マーク４２が印刷された記録紙が、後方識別マーク４２側から搬送の位置ズレがある状態で搬送される場合において、ＣＰＵ３０によって、後方識別マーク４２に記録された後方情報が認識されることおよび後方識別マークの実位置と先方マーク位置との位置ズレ分が取得されることで、文字列データの印刷位置情報および文字列データが１８０度回転され、更に文字列データの印刷位置情報がその搬送の位置ズレ分に対応して補正された文字列データの補正済み印刷データが生成されるため、本来印刷されるべき記録紙上の位置に正確に文字列データの画像を印刷することが可能となる。
【００９１】
また、本実施形態の画像形成処理システム１では、登録情報記憶部３４がパソコン３に搭載されている構成であったが、これに限定される必要はなく、画像形成装置２に登録情報記憶部３４が搭載され、画像形成装置２のＣＰＵ１０が、上記で説明したパソコン３のＣＰＵ３０と同様な制御を行う構成にしてもよい。これにより、上記と同様な効果を得ることが可能となる。
【００９２】
また、本発明の構成は、上記実施形態のほか、発明の主旨を逸脱しない範囲で種々の変更を加えることが可能である。
【産業上の利用可能性】
【００９３】
本発明は、複写機の他にも、プリンタやファクシミリなどの画像形成装置と電子端末装置を有した画像形成処理システムおよび画像形成装置に広く適用が可能であり、所望の位置に正確に文書データの画像を印刷する技術に有用である。
【図面の簡単な説明】
【００９４】
【図１】は、本発明に係る画像形成システムの要部構成を示すブロック図である。
【図２】は、本発明に係る画像形成装置の要部構造を模式的に示す縦断面図である。
【図３】は、印刷面センサ１５による記録紙の印刷面の読み取りを説明するための模式的な図である。
【図４】は、追加用記録紙が先方識別マーク側から画像形成部に向けて位置ズレなく搬送される際に、印刷面センサにより生成された画像データを模式的に示す図である。
【図５】は、追加用記録紙が後方識別マーク側から画像形成部に向けて位置ズレなく搬送される際に、印刷面センサにより生成された画像データを模式的に示す図である。
【図６】は、文書データの新規登録の際にパソコン３の表示部３１に表示される画像の一例を示す図である。
【図７】は、追加用記録紙に文字列データの印刷を行う際の画像形成装置２の動作を説明するためのフローチャートである。
【図８】は、追加用記録紙に文字列データの印刷を行う際のパソコン３の動作を説明するためのフローチャートである。
【図９】は、印刷面センサ１５によって読み取られて生成された追加用記録紙の印刷面の画像データを示す図である。
【図１０】は、補正済み印刷データに基づいて印刷が行われた追加用記録紙を示す図である。
【符号の説明】
【００９５】
１    画像形成処理システム
２    画像形成装置
３    パソコン
１０、３０    ＣＰＵ
１１    操作表示部
１２    画像形成部
１３    記録紙搬送部
１４    記憶部
１５    印刷面センサ
１６    用紙検知センサ
１７、３５    インタフェース部
３１    表示部
３２    入力部
３３    記憶部
３４    登録情報記憶部
【図１】
2007194873.tif 000003
【図２】
2007194873.tif 000004
【図３】
2007194873.tif 000005
【図４】
2007194873.tif 000006
【図５】
2007194873.tif 000007
【図６】
2007194873.tif 000008
【図７】
2007194873.tif 000009
【図８】
2007194873.tif 000010
【図９】
2007194873.tif 000011
【図１０】
2007194873.tif 000012